【事件の表示】
　特許第２８６４７２０号「プリント基板ＣＡＤ装置」の特許に対する特許異議の申立てについて、次のとおり決定する。
【結　論】
　訂正を認める。
　特許第２８６４７２０号の請求項１ないし４に係る特許を維持する。
【理　由】
１．手続の経緯
　特許第２８６４７２０号の請求項１及至４に係る発明についての出願は、平成２年１１月２日に特許出願され、平成１０年１２月１８日にその発明について特許の設定登録がされ、その後、その請求項１、２、３および４に係る特許について、異議申立人株式会社図研により特許異議の申立てがなされ、取消理由通知がなされ、その指定期間内である平成１２年２月４日に訂正請求がなされてものである。
２．訂正の適否についての判断
ア．訂正の内容
　特許権者が求めている訂正の内容は、以下のとおりである。
　特許請求の範囲の「この表示制御手段により読み出した回路図のグラフィックデータと部品名のデータをもとに、」を「この表示制御手段により読み出した回路図の図形と回路図にある部品名のデータとを取り出して対応させるとともに、」に、「選択手段で選択した部品と対応する他方の図にある部品を見付け出し、」を「選択手段で選択した一方の図の部品と、他方の図にある対応する部品を見付け出し、」に訂正する。これに伴い、発明の詳細な説明を特許請求の範囲の記載との整合をとるために訂正する。
イ．訂正の目的の適否、新規事項の有無及び拡張・変更の存否
　上記の訂正事項に関連する記載として、願書に添付した明細書（以下、「特許明細書」という）の第９頁第８行目〜第１０頁第１０行目（特許公報第３頁第５欄第２２〜４０行目）には「４３は対応テーブル作成手段であり、回路図表示手段４１により読み出した回路図のデータをもとに、回路図の図形とプリント基板図の部品名の対応関係を見付け出し、この対応関係をテーブルにして対応テーブルを作成し、対応テーブル用メモリ３４に格納する。
　対応テーブルは次の手順で作成される。
　回路図表示手段４１は回路図表示ファイル３１２により読み出した回路図のグラフィックデータと回路図にある部品の部品名データを取り出し、対応テーブル作成手段４３はこれらのデータを対応させる。取り出した部品名はプリント基板図にある部品の部品名と共通である。このため、回路図のグラフィックデータと部品名を対応させることにより、前述した対応テーブルが作成される。
　４４は表示状態変更手段であり、表示されたプリント基板図と回路図の一方の図にある部品を選択手段２４で選択したときに、他方の図で選択した部品に対応する部品を対応テーブルをもとに見付け出し、プリント基板図と回路図の両方で選択した部品をブリンキングさせる。」と記載されているから、上記訂正は願書に添付した明細書に記載されている事項に基づき特許請求の範囲の記載を減縮したものである。そして、上記訂正は、特許請求の範囲の減縮を目的とするもので、新規事項の追加に該当せず、実質的に特許請求の範囲を拡張又は変更するものではない。
ウ．むすび
　以上のとおりであるから、上記訂正は、特許法第１２０条の４第２項及び同条第３項で準用する第１２６条第２−４項の規定に適合するので、当該訂正を認める。
３．特許異議の申立について
ア．本件発明
　平成１２年２月４日付けで提出された訂正明細書の請求項１、２、３および４に係る発明は、その特許請求の範囲の請求項１、２、３および４に記載された次の事項により特定されるとおりのものである。
「（１）プリント基板のパターン形状を表わしたプリント基板図が書き込まれたプリント基板図用メモリと、
　プリント基板の回路図が書き込まれた回路図用メモリと、
　設計するプリント基板が表示される表示部と、
　この表示部の表示画像が書き込まれるディスプレイファイルを格納した表示データ用メモリと、
　同一のプリント基板について、前記プリント基板図用メモリからプリント基板図を、回路図用メモリから回路図をそれぞれ読み出し、これらを前記ディスプレイファイルに領域分けして書き込み、前記表示部の１画面内にプリント基板図と回路図を同時に表示させる表示制御手段と、
　この表示制御手段により読み出した回路図の図形と回路図にある部品名のデータとを取り出して対応させるとともに、回路図の部品を表わす図形とプリント基板図の部品名を対応させた対応テーブルを作成する対応テーブル作成手段と、
　作成した対応テーブルを格納するテーブル用メモリと、
　１画面内に表示されたプリント基板図と回路図の一方の図で部品を選択する選択手段と、
　前記対応テーブルをもとに、選択手段で選択した一方の図の部品と、他方の図にある対応する部品を見付け出し、見付け出した部品と選択した部品の表示状態を変える表示状態変更手段と、
を具備したことを特徴とするプリント基板ＣＡＤ装置。
（２）前記表示状態変更手段は、ブリンキングにより表示状態を変更することを特徴とする請求項（１）記載の装置。
（３）前記選択手段で回路図にある部品が選択されると、前記対応テーブルをもとに、選択した部品と対応するプリント基板図にある部品を見付け出し、見付け出した部品をプリント基板図内の指定した位置に配置する部品配置手段と、
　この配置が行なわれた部品の前記プリント基板用メモリ内における座標データを書き替えるデータ書き替え手段と、
を具備したことを特徴とする請求項（１）記載の装置。
（４）前記部品配置手段により配置が済んだ部品は、回路図の中で表示色を変える表示色変更手段を有することを特徴とする請求項（３）記載の装置。」
イ．申立の理由の概要
　申立人株式会社図研は、請求項１、２、３、４に係る発明は、下記の、甲第１号証、甲第２号証、甲第３号証、甲第４号証、甲第５号証および甲第６号証をもとに容易に発明をすることができたものであり、特許法第２９条第２項の規定により、特許を受けることができないものであるから、特許を取り消すべきものであると主張している。
　甲第１号証　「ＣＲ−３０００　ＰＷＳプリント基板ＣＡＤ／ＣＡＭシステム」と題する株式会社図研の製造販売に係るプリント基板ＣＡＤ／ＣＡＭシステム「ＣＲ−３０００」のパンフレット　発行日　１９８９年（平成１年）・第５頁「■実用的な部品配置・両面自動配置」の欄
　甲第２号証　「ＣＲ−３０００　ＺＵＫＥＮ　対話設計プログラム＝Ｃ３０００＝回路図参照機能について　整理番号　ＪＺＰ−５．０−００２９９−Ａ」と題する株式会社図研の製造販売に係るプリント基板ＣＡＤ／ＣＡＭシステム「ＣＲ一３０００」のマニュアル　発行日　１９９０年５月（平成２年５月）
　甲第３号証　「ＣＲ３０００／ＰＷＳ　Ｒｅｖ．５．０機能説明書ダイジェスト」と題する株式会社図研の製造販売に係るプリント基板ＣＡＤ／ＣＡＭシステム「ＣＲ−３０００」のマニュアルの抜粋　発行日　１９９０年１０月（平成２年１０月）　・「１．８　回路図参照（ＳＷＳとのリンク）」の項
　甲第４号証　「ＣＲ３０００／ＰＷＳ　トレーニング・コース　基本設計編　第五版」と題する株式会社図研の製造販売に係るプリント基板ＣＡＤ／ＣＡＭシステム「ＣＲ−３０００」のマニュアルの抜粋　発行日　１９９０年９月（平成２年９月）　・「５回路図参照」の項
　甲第５号証　１９９０年１０月２４日付けのパッキング・リスト（イーグルシステムエンジニアリング（株））
　甲第６号証　１９９０年１０月２４日付けのパッキング・リスト（エルコー（株）立山工場）
ウ．判断
（引用刊行物）
　訂正明細書の請求項１に係る発明の特許に対して、当審が平成１１年１１月２２日付けで通知した取消理由で引用した刊行物１（甲第１号証）、刊行物２（甲第２号証）、刊行物３（甲第３号証）、刊行物４（甲第４号証））、刊行物５（甲第５号証）、刊行物６（甲第６号証）にはそれぞれ次のことが記載されている。
（１）刊行物１の第５頁「■実用的な部品配置・両面自動配置」の欄には、「ＳＭＴ部品、ディスクリート部品を含んだ配置を片面のみならず、両面の自動配置を実現。コネク夕などの位置固定部品の事前配置、部品毎の実装面指定や、優先配置面の指定ができ、非常に実用的な自動配置を行います。
　回路図を同一画面上に表示し、回路図を参照しながら配置検討ができます。また、回路図のシンボル情報から部品を自動抽出し、基板上に反映するので誤配置、部品の過不足などがありません。
　会話においては、ドラッキング中の部品面、半田面切り替え、実装面間の部品ミラー移動、グリッド・オン・オフの配置、同形状部品のコピー配置、部品の高さを考慮した配置チェックなどができます。
　なお、自動と会話型を併用し、部品配置をより効率化することもできます。」と記載されている。
（２）刊行物２の第１頁「回路図参照機能とは」の項には、「プリント基板設計において、ＣＲ−３０００／ＳＷＳシステムにて作成した回路図を参照しながら効率よく設計するためのものです。」と記載され、
「回路図参照機能への手順」には、
「１．まず、＝ルートメニュー＝にて〔基板編集〕を選択し、基板ファイル＜ＰＣＵ＞を指定します。
２．次に、＝ホームページ＝にて〔部品配置設計〕を選択します。
３．次に、〔部品配置設計〕の〔回路図参照〕を指示し、回路図ファイルを指定する。」と記載され、
「回路図参照」には、
「ＣＲ−３０００／ＳＷＳシステムで作成した回路図ファイルをＳＷＳウインドウに表示します。」と記載され、
「回路図上の信号線強調表示」には、
「ＳＷＳウインドウに回路図を表示させている場合、配線データのライン（配線ファイル＜ＰＣＷ＞のライン）を指示すると、該当する信号線を強調表示します。」と記載され、
「回路図指示の部品配置」には、
「回路図ウインドウのシンボルを指示し、対応する部品または印刷抵抗を連続して基板ファイルに＜ＰＣＵ＞上に配置します。」と、さらに、「●ＰＩ　回路図のシンボルを指示します。」と記載され、
「回路図指示の連続部品配置」の例について
「●回路図を指示して配置する場合、以下のようにして指定します。」としてその例を図示している。
「回路図領域指示の連続部品配置」には、
「回路図ウインドウ内を領域指示し、その領域内に含まれるシンボルに対応する部品または印刷抵抗を、連続して基板ファイル＜ＰＣＵ＞上に配置します。」と、さらに、「●ＰＩ〜Ｐｎ　配置したい部品に対応するシンボルある領域を折れ線で指定します。　２点指示の場合は、その２点に囲まれた矩形が対象領域となります。」とあり、さらにまた、「回路図領域指示の連続部品配置」の例について「●回路図を指示して配置する場合、以下のようにして指定します。」としてその例を図示している。
（３）刊行物３「１．８　回路図参照（ＳＷＳとのリンク）」の項には、
「ＳＷＳで作成した回路図を、ＳＷＳウインドウ内に表示させることができます。
　そして、回路図と基板がリンクのとれている場合は、表示された回路図を利用して、部品配置やりクエストができます。」とあり、
さらに、「●何ができるか？」として、　
「ｉ）単に回路図の表示
ｉｉ）部品配置
・回路図のシンボルを指示→その部品を配置
・回路図を領域で指示→その領域内部品を配置
ｉｉｉ）リクエスト
・基板上の部品を指示→回路図のシンボル強調表示
・基板上の配線ラインを指示→回路図の信号線強調表示
・未配置部品→回路図のシンボル強調表示」をすることができるものとして、その例を図示している。
（４）刊行物４の「５．回路図参照」の項には、
「ＳＷＳで作成した回路図を、ＳＷＳウインドウ内に表示させることができます。
　そして、回路図と基板がリンクのとれている場合は、表示された回路図を利用して、部品配置やりクエストができます。」とあり、
さらに、「・何ができるか」として、
「ｉ）単に回路図の表示
ｉｉ）部品配置
・回路図のシンボルを指示→その部品を配置
・回路図を領域で指示→その領域内部品を配置
ｉｉｉ）リクエスト
・基板上の部品を指示→回路図のシンボル強調表示　　　　　　
・基板上の配線ラインを指示→回路図の信号線強調表示　　　　　　
・未配置部品→回路図のシンボル強調表示」をすることができるものとして、その例を図示している。
（対比・判断）
　訂正明細書の請求項１に係る発明と、刊行物１、２、３、４に記載された発明とを対比すると、プリント基板と回路図を同一画面上に表示する点で相違しないが、次の点で相違する。
（ｉ）本件請求項１に係る発明では、「表示制御手段により読み出した回路図の図形と回路図にある部品名のデータとを取り出して対応させるとともに、回路図の部品を表わす図形とプリント基板図の部品名を対応させた対応テーブルを作成する対応テーブル作成手段」が設けられているのに対して、刊行物１に「回路図のシンボル情報から部品を自動抽出し、基板上に反映する」と記載されるだけで、刊行物１〜４には、そのような対応テーブル作成手段が記載されていない点。
　上記相違点を検討すると、表示制御手段により読み出した回路図の図形と回路図にある部品名のデータとを取り出して対応させるとともに、回路図の部品を表わす図形とプリント基板図の部品名を対応させた対応テーブルを作成する対応テーブル作成手段を設けることは当業者が容易に考えることができたものとは認められない。
　よって、訂正明細書の請求項１に係る発明は、上記刊行物１〜４に記載のものから当業者が容易に発明をすることができたものではない。
　また、訂正明細書の請求項２〜４に係る発明は、訂正明細書の請求項１を引用しているので、これらもまた同様に、上記刊行物１〜４に記載されたものから当業者が容易に発明することができたものではない。
エ．むすび
　以上のとおりであるから、特許異議申立の理由及び証拠によっては、本件発明についての特許を取り消すことはできない。
　また、他に請求項１、２、３および４に係る発明についての特許を取り消すべき理由を発見しない。
　よって、結論のとおり決定する。
【異議決定日】
平成１２年５月２５日（２０００．５．２５）
【訂正の要旨】
訂正の要旨
　特許第２８６４７２０号発明の明細書中特許請求の範囲「この表示制御手段により読み出した回路図のグラフィックデータと部品名のデータをもとに」と、「選択手段で選択した部品と対応する他方の図にある部品を見付け出し」とあるのを、特許請求の範囲の減縮を目的として、「この表示制御手段により読み出した回路図の図形と回路図にある部品名のデータとを取り出して対応させるとともに」と、「選択手段で選択した一方の図の部品と、他方の図にある対応する部品を見付け出し」とに訂正する。
（５４）【発明の名称】
プリント基板ＣＡＤ装置
（５７）【特許請求の範囲】
（１）プリント基板のパターン形状を表わしたプリント基板図が書き込まれたプリント基板図用メモリと、
　プリント基板の回路図が書き込まれた回路図用メモリと、
　設計するプリント基板が表示される表示部と、
　この表示部の表示画像が書き込まれるディスプレイファイルを格納した表示データ用メモリと、
　同一のプリント板について、前記プリント基板図用メモリからプリント基板図を、回路図用メモリから回路図をそれぞれ読み出し、これらを前記ディスプレイファイルに領域分けして書き込み、前記表示部の１画面内にプリント基板図と回路図を同時に表示させる表示制御手段と、
　この表示制御手段により読み出した回路図の
図形と回路図にある部品名のデータとを取り出して対応させるとともに、
　作成した対応テーブルを格納するテーブル用メモリと、
　１画面内に表示されたプリント基板図と回路図の一方の図で部品を選択する選択手段と、
　前記対応テーブルをもとに、選択手段で選択した
一方の図の部品と、他方の図にある対応する
（２）前記表示状態変更手段は、ブリンキングにより表示状態を変更することを特徴とする請求項（１）記載の装置。
（３）前記選択手段で回路図にある部品が選択されると、前記対応テーブルをもとに、選択した部品と対応するプリント基板図にある部品を見付け出し、見付け出した部品をプリント基板図内の指定した位置に配置する部品配置手段と、
　この配置が行なわれた部品の前記プリント基板用メモリ内における座標データを書き替えるデータ書き替え手段と、
を具備したことを特徴とする請求項（１）記載の装置。
（４）前記部品配置手段により配置が済んだ部品は、回路図の中で表示色を変える表示色変更手段を有することを特徴とする請求項（３）記載の装置。
【発明の詳細な説明】
＜産業上の利用分野＞
　本発明はプリント基板ＣＡＤ装置の改良に関するものであり、さらに詳しくは、ＣＡＤ装置を用いたプリント基板設計作業の効率をアップさせたものである。
＜従来の技術＞
　従来のプリント基板ＣＡＤ装置では、設計するプリント基板のパターン形状を表わしたプリント基板図と、プリント基板の回路接続を表わした回路図を、ＣＲＴ画面上に同時に表示することができないものがほとんどであった。
　プリント基板図と回路図を同時に表示することができるものがあっても、両方の図に相互の関連性がないものであった。
＜発明が解決しようとする課題＞
　このようなプリント基板ＣＡＤ装置では、表示された回路図より部品を選択し、プリント基板図側で選択した部品の配置を行なうことができないため、オペレータは紙に書いてある回路図を手元に置き、この回路図を参照しながら部品名を指定して部品を選択し、配置処理を行なわなければならない。このような配置処理では、人的ミスが生じることが多くなり、せっかくＣＡＤ装置を使ったメリットが生かされない。
　本発明はこのような問題点を解決するためになされたものであり、１画面上にプリント基板図と回路図を同時に表示し、これらの図に相互に関連性をもたせることにより、プリント基板の設計を効率よく行えるようにしたプリント基板ＣＡＤ装置を実現することを目的とする。
＜課題を解決するための手段＞
　本発明は次のとおりの構成になったプリント基板ＣＡＤ装置である。
（１）プリント基板のパターン形状を表わしたプリント基板図が書き込まれたプリント基板図用メモリと、
　プリント基板の回路図が書き込まれた回路図用メモリと、
設計するプリント基板が表示される表示部と、
　この表示部の表示画像が書き込まれるディスプレイファイルを格納した表示データ用メモリと、
　同一のプリント板について、前記プリント基板図用メモリからプリント基板図を、回路図用メモリから回路図をそれぞれ読み出し、これらを前記ディスプレイファイルに領域分けして書き込み、前記表示部の１画面内にプリント基板図と回路図を同時に表示させる表示制御手段と、
　この表示制御手段により読み出した回路図の
図形と回路図にある部品名のデータとを取り出して対応させるとともに、
　作成した対応テーブルを格納するテーブル用メモリと、
　１画面内に表示されたプリント基板図と回路図の一方の図で部品を選択する選択手段と、
　前記対応テーブルをもとに、選択手段で選択した
一方の図の部品と、他方の図にある対応する
（２）前記表示状態変更手段は、ブリンキングにより表示状態を変更することを特徴とする請求項（１）記載の装置。
（３）前記選択手段で回路図にある部品が選択されると、前記対応テーブルをもとに、選択した部品と対応するプリント基板図にある部品を見付け出し、見付け出した部品をプリント基板図内の指定した位置に配置する部品配置手段と、
　この配置が行なわれた部品の前記プリント基板用メモリ内における座標データを書き替えるデータ書き替え手段と、
を具備したことを特徴とする請求項（１）記載の装置。
（４）前記部品配置手段により配置が済んだ部品は、回路図の中で表示色を変える表示色変更手段を有することを特徴とする請求項（３）記載の装置。
＜作用＞
　このような本発明では、プリント基板図と回路図を１画面内に同時に表示し、これらの図は回路図の図形と部品名を対応させた対応テーブルで関連付けておく。そして、回路図側で選択した部品をプリント基板図側で配置する。配置済みの部品は回路図内で表示色を変える。また、選択した部品は、回路図側でもプリント基板図側でもブリンキングさせる。
＜実施例＞
　以下、図面を用いて本発明を説明する。
　第１図は本発明の一実施例の構成図である。
　第１図において、１は入力装置、２は出力装置、３は記憶装置、４はコンピュータである。
　入力装置１において、１１は設計するプリント基板の図形データが入力される図形入力部である。
　出力装置２において、２１は設計するプリント基板を表示する表示部、２２は表示部２１が表示する画像が書き込まれるディスプレイファイルを格納した表示データ用メモリ、２３は表示部２１の表示を制御する表示制御手段、２４は表示されたプリント基板にある部品を選択する選択手段である。
　記憶装置３において、３１は設計するプリント基板のデータを格納するデータ記憶部であり、プリント基板図が書き込まれたＰＣＢグラフィックデータベース３１１とプリント基板の回路図が書き込まれた回路図表示ファイル３１２が格納されている。３２は回路図を表示するためのプログラムが格納された回路図表示プログラム用メモリ、３３はプリント基板図に部品を配置するプログラムが格納された部品配置プログラム用メモリ、３４はプリント基板図と回路図の対応関係のデータが書き込まれた対応テーブルである。
　コンピュータ４において、４１は回路図表示プログラム用メモリ３２に格納されたプログラムに従って回路図表示ファイル３１２から回路図を読み出して表示データ用メモリ２２のディスプレイファイルに書き込む回路図表示手段である。４２はＰＣＢグラフィックデータベース３１１からプリント基板図を読み出してディスプレイファイルに書き込むプリント基板図表示手段である。４３は対応テーブル作成手段であり、回路図表示手段４１により読み出した回路図のデータをもとに、回路図の図形とプリント基板図の部品名の対応関係を見付け出し、この対応関係をテーブルにして対応テーブルを作成し、対応テーブル用メモリ３４に格納する。
　対応テーブルは次の手順で作成される。
　回路図表示手段４１は回路図表示ファイル３１２により読み出した回路図のグラフィックデータと回路図にある部品の部品名データを取り出し、対応テーブル作成手段４３はこれらのデータを対応させる。取り出した部品名はプリント基板図にある部品の部品名と共通である。このため、回路図のグラフィックデータと部品名を対応させることにより、前述した対応テーブルが作成される。
　４４は表示状態変更手段であり、表示されたプリント基板図と回路図の一方の図にある部品を選択手段２４で選択したときに、他方の図で選択した部品に対応する部品を対応テーブルをもとに見付け出し、プリント基板図と回路図の両方で選択した部品をブリンキングさせる。
　４５は部品配置手段であり、選択手段２４により回路図中の部品を選択したときに、プリント基板図で選択した部品に対応する部品を配置する。４６は回路図中で配置済部品の表示色を変える表示色変更手段、４７は配置を行なった部品のＰＣＢグラフィックデータベース内における座標データを書き替える書き替え手段である。
　４８はＣＡＤ装置全体の制御を行なう制御手段である。
　このように構成したプリント基板ＣＡＤ装置の動作を説明する。
　以下に２つの動作について分けて説明する。
（１）回路図とプリント基板図の同時表示の動作
　第２図は同時表示をするための処理手順を示したフローチャートである。
　プリント基板図表示手段４２により、ＰＣＢグラフィックデータベースから読み出されたプリント基板図がディスプレイファイルに書き込まれ、これによって表示部２１にはプリント基板図が表示される。
　プリント基板図がすでに表示されている状態で、回路図表示手段４１は回路図表示ファイル３１２を読み出し、ディスプレイファイル上に回路図のグラフィックデータをもとに、回路図をディスプレイファイルに書き込む。このとき、回路図とプリント基板図はディスプレイファイル上で領域分けして書き込まれる。これによって、１画面内に回路図とプリント基板図が同時に表示される。
　同時表示を行なうときに、対応テーブルが作成されているため、プリント基板図と回路図は、ただ単に同時表示されているだけでなく、相互に関連をもたせて表示されている。
（２）回路図上で選択した部品をプリント基板上で配置する動作
　第３図は配置動作の手順を示したフローチャートである。
（１）で説明した動作により１画面内に回路図とプリント基板図が同時に表示されている。
　まず、選択手段２４により回路図にある部品を表わした図形を選択する。選択は、カーソルにより画面上で部品を指示することにより行なう。
　次に、対応テーブルから選択した図形と対応する部品名を取り出す。
　ここで、取り出した部品名よりプリント基板図にある部品が選択される。
　さらに、選択した回路図上の図形とプリント基板図上の部品をブリンクする。
　次に、選択した部品をプリント基板図内の指定した位置に配置する。位置の指定は、カーソルを用いて表示画面上で位置を指定したり、入力装置に設けられたキーボード（図示せず）から座標値を入力することにより行なう。
　ここで、配置の行なわれた部品のＰＣＢグラフィックデータベース内の座標値等を変更する。
　さらに、配置が済んだところで、選択された回路図の図形の表示色を変更する。これによって、回路図では配置済みの部品と未配置の部品が色分けして表示される。
　なお、配置の処理は部品単位で行なっても、回路図で領域を指定し、指定した領域単位で行なってもよい。
　また、実施例では部品を選択して、選択した部品を配置する処理を行なう場合について説明したが、部品の選択とともにネットの選択を行い、部品の配置と配線処理を行い、配線処理が済んだ配線も部品と同様に回路図上の表示色を変える構成にしてもよい。このように構成すると、さらに効率的にプリント基板の設計作業を行なうことができる。
＜効果＞
　本発明によれば次の効果が得られる。
▲１▼１表示画面上に回路図とプリント基板図を同時に配置し、対応テーブルにより両方の図に関連をもたせているため、回路図側から選択した部品をプリント基板図上で配置できる。これによって、プリント基板設計における部品配置処理で、容易に部品の選択を行なうことができる。
▲２▼配置が済んだ部品は回路図上で表示色を変えるため、配置済部品と未配置部品を容易に識別できる。
　以上のことから、プリント基板の設計作業の大幅な効率アップが可能になる。
【図面の簡単な説明】
　第１図は本発明の一実施例の構成図、第２図および第３図は第１図の装置の動作説明図である。
　１…入力装置、１１…図形入力部、２…出力装置、２１…表示部、２２…表示データ用メモリ、２３…表示制御手段、２４…選択手段、３……記憶装置、３１…データ記憶部、３１１…ＰＣＢグラフィックデータベース、３１２…回路図表示ファイル、３２…回路図表示プログラム用メモリ、３３…部品配置プログラム用メモリ、３４…対応テーブル用メモリ、４…コンピュータ、４１…回路図表示手段、４２…プリント基板図表示手段、４３…対応テーブル作成手段、４４…表示状態変更手段、４５…部品配置手段、４６…表示色変更手段、４７…書き替え手段、４８…制御手段。